(57)【特許請求の範囲】
【請求項１】
ユーザに位置に関する情報を提供する位置情報提供装置であって、
ネットワークサービスを管理する管理サーバにネットワーク回線網を介してログインして、前記ユーザである位置情報提供装置ユーザの目的地を前記ネットワークサービスに投稿可能な制御部を含み、
前記制御部は、前記位置情報提供装置ユーザが乗車する車両のパーキングブレーキを有効状態に設定するための操作に連動して、前記位置情報提供装置ユーザによる前記ネットワークサービスへの前記目的地の投稿を促すための通知を前記位置情報提供装置ユーザが管理する端末機器に対して送信する、位置情報提供装置。
【請求項２】
ユーザに位置に関する情報を提供する位置情報提供装置であって、
ネットワークサービスを管理する管理サーバにネットワーク回線網を介してログインして、前記ユーザである位置情報提供装置ユーザの目的地を前記ネットワークサービスに投稿可能な制御部と、
前記位置情報提供装置ユーザが乗車する車両のパーキングブレーキが有効状態にあるときに前記車両の始動装置がオフ状態からオン状態に設定される操作に連動して、前記位置情報提供装置ユーザが前記目的地についての評価を行うための評価用画面を表示する表示部と、
を含む、位置情報提供装置。
【請求項３】
請求項２に記載の位置情報提供装置であって、
前記制御部は、前記目的地についての評価が行われなかった場合に、前記目的地についての評価を促すための通知を前記位置情報提供装置ユーザが管理する端末機器に対して送信する、位置情報提供装置。
【請求項４】
請求項１から３のうちのいずれか一項に記載の位置情報提供装置と、
前記ネットワークサービスとしての１又は複数のソーシャル・ネットワーキング・サービス（ＳＮＳ）を管理する前記管理サーバと、
前記位置情報提供装置と前記管理サーバとを接続する前記ネットワーク回線網と、
を含む、位置情報提供システム。
【発明の詳細な説明】
【技術分野】
【０００１】
本発明は、ユーザに位置に関する情報を提供する技術に関する。
【背景技術】
【０００２】
下記特許文献１〜特許文献３には、自動車の経路案内を行うためのカーナビゲーション装置を用いて、ソーシャル・ネットワーキング・サービス（ＳＮＳ）等のネットワークサービスにログインして、このネットワークサービスから車両乗員に情報を提供する情報提供システムが種々開示されている。
【０００３】
例えば、下記特許文献３に開示のシステムでは、カーナビゲーション装置からネットワークサービスのＳＮＳサーバにログインし、ＳＮＳサーバ及び当該ＳＮＳサーバに接続されたグルメサイトサーバから情報を取得し、取得した取得情報がカーナビゲーション装置の表示部に表示される。この取得情報として具体的には、現在位置の周辺の目印情報としての、例えば「国道○号」という目印情報と、この目印情報に対応したコミュニティ情報としての、例えば「ラーメンＡ」という店舗情報が取得される。
【先行技術文献】
【特許文献】
【０００４】
【特許文献１】特開２０１２−００８９６９号公報
【特許文献２】特開２０１０−１６４６８８号公報
【特許文献３】特開２０１０−０５４４８４号公報
【発明の概要】
【０００５】
上記の情報提供システムにおいて、ＳＮＳサーバにログインするためには、認証データ等が記憶された記憶媒体をカーナビゲーション装置のスロットに挿入する専用の操作が必要であるため、ＳＮＳサーバから情報を取得するための操作が面倒であるという不具合がある。また、上述の目印情報及びコミュニティ情報のような情報は、情報テーブルに記憶された状態で更新されないため、この情報には、例えば店舗を利用した後の利用者の時々刻々と変化する正直な感想や意見が反映され難い。従って、この種のカーナビゲーション装置をはじめとして、ユーザに対して位置に関する情報を提供するシステムを構築するに際しては、ネットワークサービスを利用しているネットワークユーザの意向をリアルタイムで反映させることによって、ネットワークユーザによる有益な情報を提供したいという要請が高い。
【０００６】
そこで本発明は、上記の点に鑑みてなされたものであり、その目的の一つは、ネットワークユーザによる有益な情報を簡便に提供するのに有効な技術を提供することである。
【０００７】
上記目的を達成するために、本発明にかかる位置情報提供装置は、位置に関する情報を提供する装置として構成される。ここでいう「位置情報提供装置」には、車両の経路案内を行う機能（ナビゲーション機能）を果たすナビゲーション装置や、例えばインターネット上で地図情報サービスを提供するための装置等が包含される。ナビゲーション装置は、特定の車両に専用の機器として設置され、又は特定の車両と他の車両との間での兼用の機器として設置されてナビゲーション機能を果たす端末機器であってもよいし、或いはＧＰＳ受信機を搭載し、ナビゲーション・アプリケーション・ソフト（「ナビ・アプリ」ともいう）や通信契約によってナビゲーション機能を果たす端末機器であってもよい。
【０００８】
本発明にかかる位置情報提供装置は、ユーザに位置に関する情報を提供する装置であって、制御部を含む。制御部は、ネットワークサービスを管理する管理サーバにネットワーク回線網を介してログインして、前記ユーザである位置情報提供装置ユーザの目的地を前記ネットワークサービスに投稿することができる。この制御部は、前記位置情報提供装置ユーザが乗車する車両のパーキングブレーキングを有効状態に設定するための操作に連動して、前記ネットワークサービスへの前記目的地の投稿を促すための通知を前記位置情報提供装置ユーザが管理する端末機器に対して直接的又は間接的に送信する。即ち、この制御部は、ネットワークサービスの管理サーバにログインするためのログイン手段としての機能と、目的地の投稿を促すための通知を端末機器に対して行うための通知手段としての機能を果たす。この場合、位置情報提供装置ユーザは、典型的には位置情報提供装置の契約者又は利用者とされる。また、端末機器として、典型的には携帯電話やパーソナルコンピュータ（ＰＣ）を用いることができる。これにより、位置情報提供装置ユーザは、専用の操作をすることなく、目的地の投稿の意向を確認する通知を受信することができる。本発明にかかる位置情報提供装置によれば、位置情報提供装置ユーザは、車両の停止時に、目的地の投稿の意向を確認する通知を簡便に取得することができる。
【００１１】
管理サーバへのログインに関しては、位置情報提供装置のアカウントと管理サーバのアカウントとが連動することによって、アカウント認証が自動的に行われるのが好ましい。この場合のアカウントは、典型的にはログインＩＤ、或いはログインＩＤとパスワードとの組み合わせによって定められる。管理サーバに蓄積された投稿情報から取得される情報は、新たに更新された更新情報のみであってもよいし、或いは当該更新情報に過去の情報が付加された情報であってもよい。
【００１７】
本発明にかかる前記の位置情報提供装置では、前記制御部は、目的地を検索する操作に連動して前記ネットワーク回線網を介して前記管理サーバにログインして、前記検索で抽出された目的地候補について前記ネットワークユーザによって評価された目的地候補評価情報を、前記管理サーバに蓄積された前記投稿情報の中から選択的に取得し、その取得した投稿情報を前記位置情報提供装置ユーザに提供するのが好ましい。即ち、この制御部は、管理サーバに蓄積された投稿情報の中から目的地候補評価情報を選択的に取得するための情報取得手段としての機能を果たす。これにより、位置情報提供装置ユーザは、目的地の検索に伴って、ネットワークユーザによる目的地候補評価情報を簡便に取得することができる。
【００２４】
本発明にかかる前記の位置情報提供装置では、前記制御部は、前記目的地についての評価が行われなかった場合に、前記目的地についての評価を促すための通知を前記位置情報提供装置ユーザが管理する端末機器に対して送信するのが好ましい。これにより、位置情報提供装置ユーザの専用の操作を必要とすることなく、目的地についての評価の促進強化を図ることができる。
【００２５】
本発明にかかる位置情報提供システムは、前記位置情報提供装置と、前記ネットワークサービスとしての１又は複数のソーシャル・ネットワーキング・サービス（ＳＮＳ）を管理する前記管理サーバと、前記位置情報提供装置と前記管理サーバとを接続する前記ネットワーク回線網と、を含む。これにより、ネットワークサービスについて特に意識しなくても、位置情報提供装置ユーザに有益な情報である、ネットワークユーザによる、位置に関する投稿情報を簡便に取得するのに有効な情報提供システムを構築することができる。
【図面の簡単な説明】
【００２６】
【図１】図１は、本発明にかかる位置情報提供システム１０の概略図である。
【図２】図２は、第１実施形態の位置情報提供処理のフローチャートを示す図である。
【図３】図３は、図２中のステップＳ１０６によって表示部２４０に表示される表示例である。
【図４】図４は、図２中のステップＳ１０９によって表示部２４０に表示される表示例である。
【図５】図５は、第２実施形態の位置情報提供処理のフローチャートを示す図である。
【図６】図６は、図５中のステップＳ２０２によって表示部２４０に表示される表示例である。
【図７】図７は、図２中のステップＳ２０６によって表示部２４０に表示される表示例である。
【発明を実施するための形態】
【００２７】
以下、本発明の一実施形態である位置情報提供装置及び位置情報提供システムについて、図面を用いて説明する。図１には、本発明にかかる位置情報提供システム１０の概略図が示されている。
【００２８】
図１に示される位置情報提供システム１０は、その構成要素として、複数の車両１００、複数の情報端末３００、ネットワーク回線網４００，５００及び情報提供センタ６００を含む。図１では、便宜上、車両１００及び情報端末３００をそれぞれ１つのみ示している。必要に応じてこれらの構成要素に更なる構成要素が付加されてもよい。この位置情報提供システム１０が、本発明の「位置情報提供システム」に相当する。
【００２９】
車両１００には、当該車両の状態を制御する１又は複数の電子制御装置１１０（以下、「車両ＥＣＵ１１０」ともいう）が設けられている。各車両ＥＣＵ１１０は、ＣＡＮ（Controller Area Network）通信システムのＣＡＮ通信ライン１２０に接続され、このＣＡＮ通信ライン１２０を経由して各種の信号を互いに入出力できるようになっている。そして、各車両ＥＣＵ１１０は、ＣＰＵ、ＲＯＭ、ＲＡＭ等からなるマイクロコンピュータを主要構成部品とするものであり、メモリ、入出力インターフェース及びセンサ信号を入力して各種のアクチュエータを駆動する駆動回路を備えている。この車両１００では、車両ＥＣＵ１１０がパーキングブレーキ（「ＰＫＢ」ともいう）１３０、イグニッション（「ＩＧ」ともいう）装置１５０及びナビゲーション装置２００にそれぞれ接続されており、例えばパーキングブレーキ１３０やイグニッション装置１５０のそれぞれのＯＮ／ＯＦＦ情報がＣＡＮ通信ライン１２０を経由してナビゲーション装置２００に出力される。
【００３０】
上記の車両１００としては、バッテリの電力で走行用モータを駆動する電気自動車（ＥＶ）や、走行用モータと内燃機関とを備えバッテリを充電器により充電可能なプラグイン式ハイブリッド自動車（ＰＨＶ）を採用することができる。或いは、走行用モータを備えずに内燃機関のみにより走行する従来からの車両も採用することができ、車両の駆動形式は問わない。
【００３１】
ナビゲーション装置２００は、各車両１００（以下、「ユーザ車両」ともいう）に搭載されるものであり、少なくとも当該車両のためのナビゲーション機構（概して、車両１００の経路案内を行なう機能や、車両１００又はナビゲーション装置２００のユーザ（契約者又は利用者）に対して位置に関する情報を提供する機能）を備えている。このナビゲーション装置２００は、各車両１００に専用の機器として設置され、又は当該車両と他の車両との間で兼用の機器として設置されてナビゲーション機能を果たす端末機器であってもよいし、或いはＧＰＳ受信機を搭載し、或いはＧＰＳ受信機を搭載し、ナビゲーション・アプリケーション・ソフト（「ナビ・アプリ」ともいう）や通信契約によってナビゲーション機能を果たす携帯機器（典型的には、携帯電話）等の端末機器であってもよい。この場合、ナビゲーション装置２００を有線接続又は無線接続（例えば、Bluetooth（登録商標）を用いた近距離無線通信）によってＣＡＮ通信ライン１２０に接続してナビゲーション装置２００へのＣＡＮ情報の通信を行うことができる。別の形態として、車両１００の各ＥＣＵからの情報を集約する場所（例えば、ＣＡＮ−ＢＴ（Controller Area Network-Bluetooth））から通信手段によってナビゲーション装置２００へＣＡＮ情報を送信することができる。ナビゲーション装置２００は、所定のネットワーク回線網（例えば、インターネット回線網や専用回線網等のセキュアな回線網）４００を介して一時的又は連続的に情報提供センタ６００に接続され、情報提供センタ６００との間での情報通信が可能になっている。ここでいうネットワーク回線網４００が、本発明の「ネットワーク回線網」に相当する。
【００３２】
ナビゲーション装置２００は、電子制御装置２１０（以下、「端末ＥＣＵ２１０」ともいう）、ＧＰＳユニット２２０、通信部２３０及び表示部２４０を備えている。端末ＥＣＵ２１０は、ＣＰＵ、ＲＯＭ、ＲＡＭ等からなるマイクロコンピュータを主要構成部品とするものであり、メモリ、入出力インターフェース及びセンサ信号を入力して各種のアクチュエータを駆動する駆動回路を備えている。この端末ＥＣＵ２１０は、ナビゲーション装置２００のユーザ（契約者又は利用者）に関する情報（例えば、契約者名、ユーザを特定するＩＤ情報、ユーザがネットワークサービスに参加するために利用するアカウント情報等）が記憶されたデータベースを備えている。ＧＰＳユニット２２０は、ＧＰＳ衛星からの電波に基づいてナビゲーション装置２００（或いは、ナビゲーション装置２００が搭載されたときの車両１００）の現在の位置座標を測定する機能を果たす。このＧＰＳユニット２２０は、車両１００の現在位置を計測可能に構成されており、本発明の「測位部」を構成している。通信部２３０は、情報提供センタ６００からネットワーク回線網４００を経由して送られた情報を受信し、或いは端末ＥＣＵ２１０からの情報をネットワーク回線網４００を経由して情報提供センタ６００へ送信する機能を果たす。表示部２４０は、端末ＥＣＵ２１０からの出力情報を表示画面に表示する機能を果たす。ここでいうナビゲーション装置２００が、本発明の「位置情報提供装置」に相当する。
【００３３】
情報端末３００は、所定のネットワーク回線網（例えば、インターネット回線網や専用回線網等のセキュアな回線網）５００を介して一時的又は連続的に前記の情報提供センタ６００に接続され、情報提供センタ６００との間での情報通信が可能になっている。この情報端末３００として典型的には、携帯電話やパーソナルコンピュータ（ＰＣ）を用いることができる
【００３４】
情報提供センタ６００は、社会的ネットワークサービスとしての１又は複数のソーシャル・ネットワーキング・サービス（以下、「ＳＮＳ」又は「投稿可能なネットワークサービス」ともいう）をインターネット上で構築する機能を果たす。この情報提供センタ６００は、ＳＮＳ毎に割り当てられた管理サーバ（ＳＮＳサーバ）を備えている。図１に示す例では、情報提供センタ６００は、第１のＳＮＳのための管理サーバ６１０、第２のＳＮＳのための管理サーバ６２０、第３のＳＮＳのための管理サーバ６３０を備えている。ここでいう管理サーバ６１０，６２０，６３０が本発明の「管理サーバ」に相当する。
【００３５】
各管理サーバは、情報端末３００のユーザ（契約者又は利用者）に関する情報（例えば、契約者名、情報端末３００の電話番号、メールアドレス、ユーザを特定するＩＤ情報、ユーザがネットワークサービスに参加するために利用するアカウント情報等）が記憶されたデータベースを備えている。情報提供センタ６００は、各情報端末３００からＳＮＳに投稿された投稿情報を管理サーバ６１０，６２０，６３０に蓄積した後、当該情報端末３００のユーザ（所謂、フォロワー等）に提供し、且つナビゲーション装置２００に提供することができる。
【００３６】
以下、図面を参照しつつ、上記構成のナビゲーション装置２００による位置情報提供処理について説明する。この位置情報提供処理は、ナビゲーション装置２００の本来のナビゲーション機能を果たす端末ＥＣＵ２１０が主体となって遂行される。この端末ＥＣＵ２１０によって本発明における「制御部」が構成される。
【００３７】
図２〜図４を参照しつつ、第１実施形態の位置情報提供処理について説明する。
【００３８】
図２に示すフローチャートによれば、まずステップＳ１０１において、端末ＥＣＵ２１０は、ナビゲーション装置２００が起動されたか否かを判定する。この場合、ナビゲーション装置２００では、運転者又は同乗者（以下、ナビゲーション装置２００の「ユーザ」ともいう）が所定の起動操作を行うことによって、典型的にはナビゲーション機能の起動ボタンを押圧したり、ナビゲーション用の画面に触れたりする（「タップする」ともいう）ことによって、現在地や目的地に関する地図情報が表示部２４０に表示される。従って、このステップＳ１０１では、車両１００の発進前に前記の起動操作がなされたか、或いはこの起動操作によってナビゲーション装置２００が実際に起動されたかを検出することによって、前記の判定を行うことができる。ナビゲーション装置２００が起動されたと判定した場合（ステップＳ１０１のＹｅｓ）には、ステップＳ１０２にすすみ、そうでない場合（ステップＳ１０１のＮｏ）には、そのまま当該位置情報提供処理を終了する。
【００３９】
ステップＳ１０２では、ナビゲーション装置２００の起動時に、端末ＥＣＵ２１０のデータベースに予め記憶されているナビゲーション装置２００のアカウントと、情報提供センタ６００の管理サーバ６１０，６２０，６３０に予め登録されている１又は複数のＳＮＳアカウントとの間で自動的にアカウント認証が行われるように、端末ＥＣＵ２１０及び管理サーバ６１０，６２０，６３０が連動する。具体的には、端末ＥＣＵ２１０は、アカウント認証を自動で行うための認証データを当該端末ＥＣＵ２１０のデータベースから読み出して、通信部２３０を介して管理サーバ６１０，６２０，６３０に送信する。この場合の認証データは、典型的にはログインＩＤ、或いはログインＩＤとパスワードとの組み合わせによって定められる。そして、このアカウント認証が正常に行われたことを条件として、端末ＥＣＵ２１０は、各ネットワークサービスに投稿されて管理サーバ６１０，６２０，６３０に蓄積されている、位置に関する投稿情報（「第１の投稿情報」ともいう）を検索して、当該投稿情報の全部又は一部を通信部２３０を介して取得する。即ち、この端末ＥＣＵ２１０は、ネットワークサービスの管理サーバ６１０，６２０，６３０にログインするための「ログイン手段」としての機能と、管理サーバ６１０，６２０，６３０に蓄積された、位置に関する投稿情報の全部を取得し、或いは当該投稿情報の一部を選択的に取得するための「位置情報取得手段」としての機能を果たす。
【００４０】
このため、ナビゲーション装置２００のユーザは、ネットワークサービスとの連携機能を実行する専用の操作（ユーザが管理サーバ６１０，６２０，６３０にログインするための専用の操作）を行うことなく、ネットワークサービスとの連携以外の機能を実行する所定の操作によって、即ちナビゲーション装置２００の起動操作（ナビゲーション機能を有効にする操作）に連動して自動的（「シームレス」ともいう）に第１の投稿情報を取得することができる。この場合、ナビゲーション装置２００の起動操作が、管理サーバ６１０，６２０，６３０との間でログイン処理を行うためのトリガ（トリガ操作）となる。ここで、「ネットワークサービスとの連携機能を実行する専用の操作」として典型的には、所定のネットワークサービスを利用するためにそのネットワークサービスと積極的に連絡を取り合ってネットワークサービス上の投稿情報を検索したり取得したりする連携操作が挙げられる。これに対して、「所定の操作」は、ナビゲーション装置２００のユーザによって人為的に行われる操作であって、ネットワークサービスとの連携以外の機能を実行する操作、即ちユーザがネットワークサービスやネットワークサービス上の投稿情報について特に意識することなく行うことができる操作として規定される。これにより、ナビゲーション装置２００のユーザは、ネットワークサービスについて特に意識することなく、第１の投稿情報を有効利用できる状況になる。従って、ネットワークサービスを利用しているネットワークユーザの意向がリアルタイムで反映される。変更例として、ナビゲーション装置２００に関する起動操作以外の種々の操作や、車両全般に関する操作に連動して自動的に、第１の投稿情報を取得するように構成してもよい。
【００４１】
このステップＳ１０２では、管理サーバ６１０，６２０，６３０から取得する第１の投稿情報として、典型的にはナビゲーション装置２００のユーザがネットワークサービスに予め登録している友人（ネットワーク上でユーザと友人関係にあるネットワークユーザ）によって肯定的に評価された場所、店舗、施設などの位置情報（「友人評価情報」ともいう）の更新分を用いることができる。この位置情報に対して、典型的には、「いいね（Like）」という肯定的な評価が適用される。なお、必要に応じて、更新後の友人評価情報に更新前の友人評価情報が付加された情報や、更新前の友人評価情報のみを用いることもできる。更新後の友人評価情報を用いると、友人の意向をリアルタイムで反映させることができ、ナビゲーション装置２００のユーザに有益な情報を提供することができる。この第１の投稿情報の変更例として、友人以外の他人によって肯定的に評価された位置情報や、友人又は他人によって否定的に評価された位置情報（典型的には、「だめだね（Dislike）」という否定的な評価が適用された情報）、また友人や他人が通過したり到着したりした場所、店舗、施設などの位置情報（所謂、チェックイン情報）を用いることもできる。なお、ここでいう「友人」は、ネットワーク上でナビゲーション装置２００のユーザと友人関係にある人であれば足り、当該ユーザが実際に会ったことがあるか否かは問わない。また、ここでいう「他人」には、ナビゲーション装置２００のユーザが特定のマスメディア（テレビ、ラジオ、雑誌等の媒体）を通じて一方的に知り得る関係にある著名人（有名人）や芸能人等、当該ユーザと特定関係にある他人や、ユーザと何ら特定の関係にない他人が包含される。
【００４２】
ステップＳ１０３では、端末ＥＣＵ２１０は、車両１００のパーキングブレーキ（ＰＫＢ）１３０が有効状態（ＯＮ状態）であるか、或いは無効状態（ＯＦＦ状態）であるかを判定する。この判定は、典型的にはパーキングブレーキ１３０の作動信号の検出結果に基づいて行われる。パーキングブレーキ１３０が無効状態であると判定した場合や、パーキングブレーキ１３０が有効状態から無効状態に変更されたと判定した場合（ステップＳ１０３のＹｅｓ）、典型的には車両１００が走行開始直前（発進直前）の状態である場合にステップＳ１０４にすすみ、そうでない場合（ステップＳ１０３のＮｏ）にはステップＳ１０４をスキップしてステップＳ１０５にすすむ。変更例として、ステップＳ１０３のＮｏの場合にステップＳ１０３の判定を繰り返すようにしてもよい。また、別の変更例として、ステップＳ１０３でパーキングブレーキ１３０が有効状態であると判定した場合、典型的には車両１００が停車していることを条件にしてステップＳ１０４にすすむようにしてもよい。
【００４３】
ステップＳ１０４では、端末ＥＣＵ２１０は、ステップＳ１０２で取得した第１の投稿情報を表示部２４０に表示する。具体的には、友人によって肯定的に評価された友人評価情報の更新分である、「いいね（Like）」という肯定的な表示を、表示部２４０に表示されている地図上に重ねて重畳表示する。この表示部２４０が本発明の「表示部」に相当する。これにより、ナビゲーション装置２００のユーザは、端末ＥＣＵ２１０が取得した情報を表示部２４０によって容易に視認することができる。この場合、更にこの肯定的な表示を表示部２４０の画面上で指定する（典型的には、タップする）ことによって、当該友人評価情報の詳細な情報を地図上に表示するのが好ましい。これにより、友人によって肯定的に評価された友人評価情報を、特殊な操作をすることなく、車両１００の走行前に参照することができる。この場合、更に友人自身の情報（名前、写真等）を地図上に表示するのが好ましい。更に、同一の友人が同一の友人評価情報を複数回投稿している場合や、複数の友人がそれぞれ同一の友人評価情報を投稿している場合には、評価回数を合わせて表示してもよい。
【００４４】
ステップＳ１０５では、端末ＥＣＵ２１０は、前述のアカウント認証によって管理サーバ６１０，６２０，６３０にログインすることによって、自車両である車両１００の現在位置（ＧＰＳユニット２２０によって測定された現在位置）から所定距離内の周辺位置（場所、店舗、施設、観光地など）に対応した、位置に関する投稿情報（「第２の投稿情報」ともいう）を通信部２３０を介して選択的に取得する。この場合、ナビゲーション装置２００のユーザは、有益と考えられる自車両周辺の第２の投稿情報を、ネットワークサービスとの連携機能を実行する専用の操作（ナビゲーション装置２００のユーザが管理サーバ６１０，６２０，６３０にログインするための専用の操作）を行うことなく、ネットワークサービスとの連携以外の機能を実行する所定の操作によって自動的（シームレス）に取得できる。これにより、ナビゲーション装置２００のユーザは、ネットワークサービスについて特に意識することなく、第２の投稿情報を有効利用できる状況になる。従って、ネットワークサービスを利用しているネットワークユーザの意向がリアルタイムで反映される。
【００４５】
このステップＳ１０５では、管理サーバ６１０，６２０，６３０から取得する第２の投稿情報として、典型的にはナビゲーション装置２００のユーザがネットワークサービスに予め登録している友人や、友人以外の他人であるネットワークユーザによって肯定的に評価された場所、店舗、施設などの位置情報（「周辺評価情報」ともいう）の更新分を用いることができる。必要に応じて、更新後の周辺評価情報に更新前の周辺評価情報が付加された情報や、更新前の周辺評価情報のみを用いることもできる。更新後の周辺評価情報を用いると、現在位置の周辺に関するネットワークユーザの意向をリアルタイムで反映させることができ、ナビゲーション装置２００のユーザに有益な、ネットワークユーザによる情報を提供することができる。この第２の投稿情報の変更例として、友人又は他人によって否定的に評価された周辺評価情報（典型的には、「だめだね」という否定的な情報）、また友人や他人が通過したり到着したりした場所、店舗、施設などの位置情報（チェックイン情報）を用いることもできる。
【００４６】
ステップＳ１０６では、端末ＥＣＵ２１０は、ステップＳ１０５で取得した第２の投稿情報を表示部２４０に表示する。具体的には、友人や他人によって肯定的に評価された周辺評価情報の更新分である、「いいね（Like）」という肯定的な表示を、表示部２４０に表示されている地図上に重ねて重畳表示する。この場合、他人により肯定的に複数回評価されているときには、肯定的な表示のまわりに更に他人による評価回数を表示するのが好ましい。一方で、友人の周辺評価情報を表示する場合には、更に友人自身の情報（名前、写真等）を地図上に表示するのが好ましい。更に、同一の友人が同一の周辺評価情報を複数回投稿している場合や、複数の友人がそれぞれ同一の周辺評価情報を投稿している場合には、評価回数を合わせて表示するのが好ましい。また、この場合、更にこの周辺評価情報を表示部２４０の画面上で指定する（典型的には、タップする）ことによって、当該周辺評価情報に関する詳細な情報を地図上に表示するのが好ましい。これにより、友人や他人によって肯定的に評価された周辺評価情報を、特殊な操作をすることなく、車両１００の走行前に参照することができる。友人の周辺評価情報を表示する場合には、更に友人自身の情報（名前、写真等）を地図上に表示するのが好ましい。
【００４７】
上記のステップＳ１０６の具体的な表示例については図３が参照される。図３に示す表示例では、表示部２４０の地図画面上に、自車両周辺の位置情報１１及び２１が重ねて重畳表示されている。位置情報１１は、友人である「SHIGEO」によって肯定的に評価されたレストランを示すマークとして表示されており、更にこの位置情報１１のまわりに友人情報１３が表示されている。この友人情報１３は、友人が登録しているネットワークサービスで肯定的な評価を行う際に用いられる評価用マーク１５（図３では、「Good！」のマーク）と、友人の個人情報（図３では、「SHIGEO」という名前及びその顔写真）１７とを含む。一方で、位置情報２１は、他人によって肯定的に評価された駐車場を示すマークとして表示されており、更にこの位置情報２１のまわりに他人情報２３が表示されている。この他人情報２３は、他人が登録しているネットワークサービスを識別可能な評価用マーク２５と、この駐車場が他人によって肯定的に評価された評価回数を示す評価回数情報２７とを含む。図３の表示例では、評価用マーク２５として、ネットワークサービスを識別可能な「ＳＮＳ  Ａ」のマーク及び「ＳＮＳ  Ｂ」のマークが表示されている。また、「ＳＮＳ  Ａ」において「良い」という評価に係る評価回数情報２７が「５」であるため、このネットワークサービスで他人によって肯定的に評価された評価回数が５回であることが判り、同様に「ＳＮＳ  Ｂ」において「良い」という評価に係る評価回数情報２７が「６」であるため、このネットワークサービスで他人によって肯定的に評価された評価回数が６回であることが判る。
【００４８】
図２に戻り、ステップＳ１０７では、端末ＥＣＵ２１０は、ナビゲーション装置２００のユーザによって目的地の検索要求が有ったか否かを判定する。この場合、目的地の検索として、周辺施設の検索や、ジャンル別の検索等が挙げられる。検索要求が有ったと判定した場合（ステップＳ１０７のＹｅｓ）にはステップＳ１０８にすすみ、そうでない場合（ステップＳ１０７のＮｏ）にはそのまま当該位置情報提供処理を終了する。典型的には、検索のための入力情報に基づいて、表示部２４０に目的地候補が出力された場合に、検索要求が有ったと判定される。
【００４９】
ステップＳ１０８では、端末ＥＣＵ２１０は、前述のアカウント認証によって管理サーバ６１０，６２０，６３０にログインすることによって、目的地候補に関する投稿情報であって、且つ管理サーバ６１０，６２０，６３０に蓄積されている、位置に関する投稿情報（「第３の投稿情報」ともいう）を通信部２３０を介して選択的に取得する。この第３の投稿情報として具体的には、検索で抽出された目的地候補についてネットワークユーザ（ネットワーク上の友人又は他人）によって肯定的に評価された情報（「目的地候補評価情報」ともいう）を取得する。この場合、ナビゲーション装置２００のユーザにとって有益な第３の投稿情報を、ネットワークサービスとの連携機能を実行する専用の操作（ナビゲーション装置２００のユーザが管理サーバ６１０，６２０，６３０にログインするための専用の操作）を行うことなく、ネットワークサービスとの連携以外の機能を実行する所定の操作である、目的地の検索操作に連動して自動的（シームレス）に取得できる。これにより、ナビゲーション装置２００のユーザは、ネットワークサービスについて特に意識することなく、第３の投稿情報を有効利用できる状況になる。従って、ネットワークサービスを利用しているネットワークユーザの意向がリアルタイムで反映される。
【００５０】
ステップＳ１０９では、端末ＥＣＵ２１０は、ステップＳ１０８で取得した第３の投稿情報を、表示部２４０に表示された目的地候補のリストに追加して表示した後、当該位置情報提供処理を終了する。この場合、ナビゲーション装置２００のユーザは、目的地候補とともに表示された目的地候補評価情報を表示部２４０によって容易に視認することができる。これにより、ナビゲーション装置２００のユーザは、目的地候補の中から目的地を選択する際に、目的地候補に対応した第３の投稿情報（目的地候補評価情報）を参考にすることができる。なお、ナビゲーション装置２００が所謂「通信型」の装置である場合には、目的地自体の情報は情報提供センタ６００や別の情報提供センタとの間の通信によって取得されるが好ましい。一方で、ナビゲーション装置２００が所謂「スタンドアローン型」の装置である場合には、目的地自体の情報は当該装置に予め記憶されている情報の中から抽出され取得されるが好ましい。
【００５１】
上記のステップＳ１０９の具体的な表示例については図４が参照される。図４に示す表示例では、表示部２４０に検索結果が表示されており、またこの表示内容が「検索結果」であることを示す項目３７が表示されている。また、この検索結果では、「周辺検索」なる項目３１、「駐車場」なる項目３３、「条件設定」なる項目３５が順次展開されることによって、最終的に項目３７に至ったことが視認できる。項目３１の表示画面では、目的地について周辺検索が行われる。項目３３の表示画面には、目的地として選択された駐車場について周辺検索が行われた結果が表示される。項目３５の表示画面では、周辺検索で検索された複数の駐車場の中から候補を絞り込むための条件設定が行われる。項目３７の表示画面には、３つの目的地候補として、第１候補である「○○駐車場」、第２候補である「△△パーク」、第３候補である「□□２４」のそれぞれの名称と、自車両から各候補までの距離（メートル）を合わせたリストが表示されている。更なる目的地候補がある場合には、「次候補」なるキーをタップすることによって、当該目的地候補が表示された表示画面が展開される。
【００５２】
更に、このリストに前述の第３の投稿情報のように、管理サーバ６１０，６２０，６３０に蓄積されているネットワークユーザの情報、具体的には前述の友人情報１３及び他人情報２３が追加で表示されている。この場合、「○○駐車場」は、自車両からの距離が最も近く、しかも友人による肯定的な評価があるという判定に基づいて、優先順位が最も高い１番目の候補に設定されている。「△△パーク」は、自車両からの距離が最も遠い一方で、他人による肯定的な評価がある（具体的には、第１のネットワークでの評価回数が５回である、第２のネットワークでの評価回数が６回である）という判定に基づいて、優先順位が２番目の候補に設定されている。「□□２４」は、自車両からの距離は２番目に近い一方で、誰からも肯定的な評価がないという判定に基づいて、優先順位が最も低い３番目の候補に設定されている。
【００５３】
上記の表示例では、目的地候補評価情報が友人によって肯定的に評価された評価情報である目的地候補を、目的地候補評価情報が他人によって肯定的に評価された評価情報である目的地候補や、誰からも肯定的に評価されていない目的地候補よりも優先度を高めた表示態様で表示するのが好ましい。更に、目的地候補評価情報が他人によって肯定的に評価された評価情報である目的地候補を、誰からも肯定的に評価されていない目的地候補よりも優先度を高めた表示態様で表示するのが好ましい。これにより、ナビゲーション装置２００のユーザは、友人や他人による肯定的な評価情報が反映された目的地候補の中から目的地を選択することが可能となる。また、ナビゲーション装置２００のユーザは、友人や他人によって肯定的に評価された情報に対応する目的地候補を容易に識別することができる。勿論、自車両からの距離を優先して、「□□２４」を優先順位が２番目の候補とし、「△△パーク」を優先順位が３番目の候補として表示することもできる。その他の手法として、優先順位の高い候補を優先順位の低い候補とは異なる色彩や字体を用いて表示することもできる。これにより、ナビゲーション装置２００のユーザが目的地をより円滑に選択する助けになる。
【００５４】
追加例として、表示部２４０に表示されている友人情報１３や他人情報２３の領域をナビゲーション装置２００のユーザが指でタップすることで、当該情報が登録されているネットワークサービスにリンクするように構成することもできる。また、前述の友人情報１３及び他人情報２３を、図４に示す検索結果以外の画面、例えば目的地毎の情報を表示するための画面に表示することもできる。
【００５５】
以下、図５〜図７を参照しつつ、第２の実施形態の位置情報提供処理について説明する。
【００５６】
図５に示すフローチャートによれば、まずステップＳ２０１において、端末ＥＣＵ２１０は、車両１００が目的地に到着したか否かを判定し、また車両１００が目的地に到着している場合に、更にパーキングブレーキ１３０が有効状態（ＯＮ状態）であるか否かを判定する。車両１００が目的地に到着し、且つパーキングブレーキ１３０が有効状態であると判定した場合（ステップＳ２０１のＹｅｓ）にはステップＳ２０２にすすみ、そうでない場合（ステップＳ２０１のＮｏ）には当該位置情報提供処理を終了する。この場合、車両１００が目的地に到着したとの判定は、車両１００が実際に目的地に到着しているという情報に基づいて行われてもよいし、或いは車両１００が目的地に到着したことを想定した情報に基づいて行われてもよい。
【００５７】
ステップＳ２０２では、端末ＥＣＵ２１０は、予め登録されているネットワークサービスへのチェックインを促すためのチェックイン促進画面を表示部２４０に表示させる。このステップＳ２０２の具体的な表示例については図６が参照される。図６に示す表示例では、表示部２４０に、「○○レストランに到着しました。」或いは「目的地に到着しました。」という表示と、「××ＳＮＳにチェックインしますか？」という表示を、「Ｙｅｓ」という選択キー４１と、「Ｎｏ」という選択キー４２とともに表示する。これにより、ナビゲーション装置２００のユーザが選択キー４１又は選択キー４２を選択してタップすることによって、ネットワークサービスにチェックインするか否かの意思表示を行うことができる。従って、ネットワークサービスとの連携のための専用の操作（ユーザが管理サーバ６１０，６２０，６３０にログインするための専用の操作）によらず、当該操作とは別に行われる前述のブレーキ操作によって、自動的（シームレス）にナビゲーション装置２００のユーザに対してチェックイン機能の利用を促すことができる。なお、ナビゲーション装置２００のユーザによって「Ｙｅｓ」の選択キー４１がタップされた場合、そのまま「××ＳＮＳ」にチェックインし、或いは「××ＳＮＳ」のチェックイン用画面に接続されるのが好ましい。この場合、端末ＥＣＵ２１０は、車両１００の目的地をネットワークサービスに投稿するための投稿手段としての機能を果たす。また、この場合、１つのネットワークサービスにチェックインしてもよいし、或いは複数のネットワークサービスに一括でチェックインしてもよい。また、このチェックインによって当該ネットワークサービスに投稿されているコメントや写真のアップロード等を適宜に行うこともできる。
【００５８】
変更例では、前記のステップＳ２０１においてパーキングブレーキ１３０についての判定を省略して、車両１００が目的地に到着した（例えば、車両１００のための経路案内が完了した）ことの判定のみによって、ステップＳ２０２を行うこともできる。この場合、表示部２４０にチェックイン画面を視認可能且つ操作不能に表示させ、その後に追加の操作許可条件が成立したことを条件として、チェックイン画面を操作可能に表示させることができる。或いは、操作許可を要しない操作（例えば、音声認識操作や、車両ステアリングホイールに設けられたスイッチ類の手動操作など）が行われたことを条件として、チェックイン画面を操作可能に表示させることもできる。
【００５９】
ステップＳ２０３では、端末ＥＣＵ２１０は、ナビゲーション装置２００のユーザが、表示部２４０の画面上でネットワークサービスに未だチェックインがないか否かを判定する。チェックインがないと判定した場合（ステップＳ２０３のＹｅｓ）にはステップＳ２０４にすすみ、そうでない場合（ステップＳ２０３のＮｏ）にはそのまま当該位置情報提供処理を終了する。
【００６０】
ステップＳ２０４では、端末ＥＣＵ２１０は、ナビゲーション装置２００のユーザが管理する携帯電話のメールにチェックインを促す通知を行う。そして、メールに掲載されているリンクを選択する選択操作によって、自動的にチェックインされ、或いはネットワークサービスのチェックイン画面に移行する。この場合、端末ＥＣＵ２１０は、目的地の投稿を促すための通知を端末機器に対して行うための「通知手段」としての機能を果たす。携帯電話のメール以外に、管理サーバ６１０，６２０，６３０に蓄積されるメールや、ユーザのパーソナルコンピュータ（ＰＣ）のメールにチェックインを促す通知を行ってもよい。これにより、ネットワークサービスとの連携のための専用の操作（ユーザが管理サーバ６１０，６２０，６３０にログインするための専用の操作）によらず、当該操作とは別に行われる前述の選択操作によって自動的（シームレス）に当該ユーザに対してチェックイン機能の利用を促すことができる。このステップＳ２０４の通知は、ステップＳ２０３を前提として行う以外に、表示部２４０の画面上でネットワークサービスにチェックインされなかったときにのみ行うことも可能であり、或いはステップＳ２０３を省略して行うことも可能である。
【００６１】
ステップＳ２０５では、端末ＥＣＵ２１０は、ステップＳ２０４に引き続いて、車両１００のイグニッション装置１５０が目的地でオフ状態に設定された後に、再度オン状態に設定されたか否かを判定し、またイグニッション装置１５０が再度オン状態に設定されたと判定した場合に、更にパーキングブレーキ１３０が有効状態（オン状態）であるか否かを判定する。ステップＳ２０５の条件が成立している場合（ステップＳ２０５のＹｅｓ）にはステップＳ２０６にすすみ、そうでない場合（ステップＳ２０５のＮｏ）にはそのまま当該位置情報提供処理を終了する。このステップＳ２０５の判定によれば、車両１００が目的地に到着した後、出発する直前の状態であると判定することができる。
【００６２】
ステップＳ２０６では、端末ＥＣＵ２１０は、目的地についての評価を行うための評価用画面を表示部２４０に表示させる。このステップＳ２０６の具体的な表示例については図７が参照される。図７に示す表示例では、表示部２４０に、「○○レストランを評価しますか？」という表示を、「Ｙｅｓ」という選択キー５１と、「Ｎｏ」という選択キー５２とともに表示する。これにより、ネットワークサービスとの連携のための専用の操作（ユーザが管理サーバ６１０，６２０，６３０にログインするための専用の操作）によらず、当該操作とは別に行われる前述のイグニッション操作及びブレーキ操作によって、自動的（シームレス）にナビゲーション装置２００のユーザに対して目的地についての評価の実施を促すことができる。なお、ナビゲーション装置２００のユーザによって「Ｙｅｓ」の選択キー５１がタップされた場合、ナビゲーション装置２００で目的地についての詳細な評価を行うための画面に移行し、或いは「××ＳＮＳ」において目的地についての詳細な評価を行うための画面に接続されるのが好ましい。
【００６３】
ステップＳ２０７では、端末ＥＣＵ２１０は、ステップＳ２０６に関連する処理に引き続いて、表示部２４０の評価用画面で実際に目的地についての評価が行われたか否かを判定する。当該評価が行われなかったと判定された場合（ステップＳ２０７のＹｅｓ）、即ちステップＳ２０６で表示部２４０に表示された表示画面で「Ｎｏ」という選択キー５２がタップされた場合にはステップＳ２０８にすすみ、そうでない場合（ステップＳ２０７のＮｏ）、即ちステップＳ２０６で表示部２４０に表示された表示画面で「Ｙｅｓ」という選択キー５１がタップされた場合にはそのまま当該位置情報提供処理を終了する。
【００６４】
ステップＳ２０８では、端末ＥＣＵ２１０は、ナビゲーション装置２００のユーザが契約又は利用する携帯電話のメールに、目的地の評価を行うように促す通知を行う。そして、ナビゲーション装置２００のユーザは、メールに掲載されているリンクを選択する選択操作を行うことにより、例えば自動的に１又は複数のネットワークサービスにログインして、当該ネットワークサービスの評価用画面で目的地についての評価内容を投稿することができる。これにより、ネットワークサービスとの連携のための専用の操作（ユーザが管理サーバ６１０，６２０，６３０にログインするための専用の操作）によらず、当該操作とは別に行われる前述の選択装置によって自動的（シームレス）にナビゲーション装置２００のユーザに対して目的地の評価の実施を促すことができる。なお、携帯電話のメール以外に、ネットワークサービスの管理サーバ内のメールや、ユーザのパーソナルコンピュータ（ＰＣ）のメールに目的地の評価を行うように促す通知を行ってもよい。
【００６５】
以上のように、上記構成のナビゲーション装置２００を備えた車両１００や、複数の車両１００及び情報提供センタ６００を含む位置情報提供システム１０を用いることによって、ナビゲーション装置２００のユーザに、ネットワークユーザによる有益な情報を簡便に提供することができる。
【００６６】
本発明は、上記の典型的な実施形態のみに限定されるものではなく、種々の応用や変形が考えられる。例えば、上記実施の形態を応用した次の各形態を実施することもできる。
【００６７】
図２に示す第１実施形態の位置情報提供処理に関連して、ステップＳ１０１からステップＳ１０４までのステップのみからなる第１の位置情報提供処理、ステップＳ１０１、ステップＳ１０５及びステップＳ１０６のみを組み合わせた第２の位置情報提供処理、ステップＳ１０７からステップＳ１０９までのステップのみからなる第３の位置情報提供処理、更にはこれら第１から第３の位置情報提供処理のうちの２つを適宜に組み合わせた処理等を採用することもできる。
【００６８】
図５に示す第２実施形態の位置情報提供処理に関連して、ステップＳ２０１及びステップＳ２０２のみを組み合わせた第４の位置情報提供処理、ステップＳ２０１からステップＳ２０４までのステップのみからなる第５の位置情報提供処理、ステップＳ２０１からステップＳ２０６までのステップのみからなる第６の位置情報提供処理等を採用することもできる。
【００６９】
上記の実施形態では、図２に示す位置情報提供処理や図５に示す位置情報提供処理を行う制御手段は、ナビゲーション装置２００の本来のナビゲーション機能を果たす端末ＥＣＵ２１０によって兼務される場合について記載したが、本発明では端末ＥＣＵ２１０とは別個に設けられた専用の制御手段が図２に示す位置情報提供処理や図５に示す位置情報提供処理を行うように構成することもできる。
【００７０】
本発明では、ナビゲーション装置２００の端末ＥＣＵ２１０が、管理サーバ６１０，６２０，６３０にログインするためのトリガ操作として、例えば上述の実施形態ように、ナビゲーション装置２００の起動操作、車両１００のブレーキ操作やイグニッション操作を採用する以外に、その他のトリガ操作を種々採用することもできる。具体的には、ナビゲーション装置２００に関して、出発地から目的地までの最適なルート（経路）を検索する操作（周辺検索、住所検索、ジャンル検索）、前記ルートに関する情報を確認する操作、新たな領域の地図情報が必要となった場合に当該地図情報を追加で取得する操作、ネットワークサービスから交通情報、音楽情報、メール情報等を他の情報とともに取得する操作、定期的にネットワークサービスに接続する操作を、前述のトリガ操作として採用することができる。また、車両１００に関して、アクセサリー（ＡＣＣ）電源をオン状態にする操作、車載の通信モジュールを起動する操作、前記の通信モジュールによって外部との通信を確立する操作、ネットワークサービスから位置に関する投稿情報を取得した後に所定距離での走行を行う運転操作、ネットワークサービスから位置に関する投稿情報を取得した後に所定時間での走行を行う運転操作を、前述のトリガ操作として採用することができる。
【００７１】
上記の実施形態では、ナビゲーション装置２００の端末ＥＣＵ２１０が主体となって、管理サーバ６１０，６２０，６３０との間のログイン処理や、ネットワークサービスの投稿情報の取得処理を行うように構成された位置情報提供システム１０について記載したが、本発明では、この位置情報提供システム１０の変更例として、端末ＥＣＵ２１０が行う制御の一部を管理サーバ６１０，６２０，６３０との間で分担するように構成された情報提供システムを採用することもできる。
【００７２】
上記の変更例にかかる位置情報提供システムの一例では、管理サーバ６１０，６２０，６３０のそれぞれに設けられた制御部が、ナビゲーション装置２００の端末ＥＣＵ２１０との間でログイン処理を行い、且つこのログイン処理とともに、ネットワークサービス上の投稿情報の全部又は一部をネットワーク回線網４００を介してナビゲーション装置２００に送信することができる。
【００７３】
また、上記の変更例にかかる情報提供システムの一例では、ナビゲーション装置２００の端末ＥＣＵ２１０が管理サーバ６１０，６２０，６３０との間でログイン処理を行う一方で、当該管理サーバがこのログイン処理のタイミングで、ネットワークサービス上の投稿情報の全部又は一部をネットワーク回線網４００を介してナビゲーション装置２００に送信することができる。
【００７４】
上記の実施形態では、位置情報提供装置の一例としてナビゲーション装置２００について記載したが、本発明では、インターネット上で地図情報サービスを提供するための装置（地図を検索する機能を有する装置）を位置情報提供装置として利用することもできる。この場合、具体例として、所定のネットワークサービスに投稿された、位置に関する投稿情報（例えば、ネットワークユーザによって評価された評価情報）を当該ネットワークサービスの管理サーバにログインして取得し、取得した投稿情報を、地図情報サービスから提供された地図上に表示させることができる。
【００７５】
上記の実施形態や種々の変更例の記載に基づいた場合、本発明では以下の各態様（アスペクト）を採り得る。
【００７６】
本発明では、
「ユーザに位置に関する情報を提供する位置情報提供方法であって、前記ユーザによる、投稿可能なネットワークサービスとの連携以外の機能を実行する所定の操作に連動してネットワーク回線網を介して前記ネットワークサービスを管理する管理サーバにログインして、ネットワークユーザによって前記ネットワークサービスに投稿され前記管理サーバに蓄積された、位置に関する投稿情報の全部又は一部を取得する、位置情報提供方法。」
という態様（態様１）を採り得る。
【００７７】
本発明では、
「態様１に記載の位置情報提供方法であって、
前記管理サーバにログインしたとき、前記ユーザの現在位置から所定距離内の周辺位置について前記ネットワークユーザによって評価された周辺評価情報を前記管理サーバに蓄積された前記投稿情報の中から選択的に取得する、位置情報提供方法。」
という態様（態様２）を採り得る。
【００７８】
本発明では、
「態様１又は２に記載の位置情報提供方法であって、
前記管理サーバにログインしたとき、前記投稿情報が前記ネットワーク上で前記ユーザと特定関係にある他人によって評価された評価情報を含む場合には、前記管理サーバに蓄積された前記投稿情報の中から当該評価情報を前記他人の情報とともに選択的に取得する、位置情報提供方法。」
という態様（態様３）を採り得る。
【００７９】
本発明では、
「態様１から３のうちのいずれかに記載の位置情報提供方法であって、
前記管理サーバにログインしたとき、前記投稿情報が前記ネットワーク上で前記ユーザと友人関係にない他人によって複数回評価された評価情報を含む場合には、前記管理サーバに蓄積された前記投稿情報の中から当該評価情報を選択的に取得する、位置情報提供方法。」
という態様（態様４）を採り得る。
【００８０】
本発明では、
「態様１から４のうちのいずれかに記載の位置情報提供方法であって、
取得した情報を地図情報とともに表示部に表示させる、位置情報提供方法。」
という態様（態様５）を採り得る。
【００８１】
本発明では、
「態様１から５のうちのいずれかに記載の位置情報提供方法であって、
前記所定の操作は、前記ユーザが乗車する車両に搭載されたナビゲーション装置を起動するための操作である、位置情報提供方法。」
という態様（態様６）を採り得る。
【００８２】
本発明では、
「態様１に記載の位置情報提供方法であって、
前記所定の操作である、前記ユーザによる目的地を検索する操作に連動して前記ネットワーク回線網を介して前記管理サーバにログインして、前記検索で抽出された目的地候補について前記ネットワークユーザによって評価された目的地候補評価情報を、前記管理サーバに蓄積された前記投稿情報の中から選択的に取得する、位置情報提供方法。」
という態様（態様７）を採り得る。
【００８３】
本発明では、
「態様７に記載の位置情報提供方法であって、
取得した前記目的地候補評価情報を当該情報に対応した前記目的地候補とともに表示部に表示させる、位置情報提供方法。」
という態様（態様８）を採り得る。
【００８４】
本発明では、
「態様８に記載の位置情報提供方法であって、
前記目的地候補評価情報が前記ネットワーク上での前記ユーザの友人によって評価された友人評価情報である目的地候補を、前記目的地候補評価情報が前記友人評価情報でない目的地候補よりも優先度を高めた表示態様で前記表示部に表示させる、位置情報提供方法。」
という態様（態様９）を採り得る。
【００８５】
本発明では、
「ユーザに位置に関する情報を提供する位置情報提供方法であって、
前記ユーザによる、投稿可能なネットワークサービスとの連携以外の機能を実行する所定の操作に連動して、前記ネットワークサービスへの前記ユーザの目的地の投稿を促すための画面を表示部に表示させる、位置情報提供方法。」
という態様（態様１０）を採り得る。
【００８６】
本発明では、
「ユーザに位置に関する情報を提供する位置情報提供方法であって、
前記ユーザによる、投稿可能なネットワークサービスとの連携以外の機能を実行する所定の操作に連動して、前記ネットワークサービスへの前記ユーザの目的地の投稿を促すための通知を前記ユーザが管理する端末機器に対して送信する、位置情報提供方法。」
という態様（態様１１）を採り得る。
【００８７】
本発明では、
「態様１０又は１１に記載の位置情報提供方法であって、
前記所定の操作は、前記ユーザが乗車する車両のパーキングブレーキングを有効状態に設定するための操作である、位置情報提供方法。」
という態様（態様１２）を採り得る。
【００８８】
本発明では、
「ユーザに位置に関する情報を提供する位置情報提供方法であって、
前記ユーザによる、前記ユーザが乗車する車両の始動装置をオフ状態からオン状態に設定し、且つ前記車両のパーキングブレーキを無効状態から有効状態に設定する操作に連動して、前記ユーザの目的地についての評価を行うための評価用画面を表示部に表示させる、位置情報提供方法。」
という態様（態様１３）を採り得る。
【００８９】
本発明では、
「態様１３に記載の位置情報提供方法であって、
前記目的地についての評価が行われなかった場合に、前記目的地についての評価を促すための通知を前記ユーザが管理する端末機器に対して送信する、位置情報提供方法。」
という態様（態様１４）を採り得る。
【００９０】
本発明では、
「ユーザに位置に関する情報を提供する位置情報提供システムであって、
投稿可能なネットワークサービスを管理するとともに、ネットワーク回線網を介して車両の経路案内を行うためのナビゲーション装置と間での通信が可能な管理サーバと、
前記管理サーバに設けられた制御部と、
を含み、
前記制御部は、前記ユーザによる前記ネットワークサービスとの連携以外の機能を実行する所定の操作に連動して前記ネットワーク回線網を介して前記管理サーバにログインしたときに、ネットワークユーザによって前記ネットワークサービスに投稿され前記管理サーバに蓄積された投稿情報の全部又は一部を前記ネットワーク回線網を介して前記ナビゲーション装置に送信する、位置情報提供システム。」
という態様（態様１５）を採り得る。
【００９１】
本発明では、
「ユーザに位置に関する情報を提供する位置情報提供システムであって、
車両の経路案内を行うためのナビゲーション装置と、
投稿可能なネットワークサービスを管理するとともに、ネットワーク回線網を介して前記ナビゲーション装置と間での通信が可能な管理サーバと、
を含み、
前記ナビゲーション装置は、前記ユーザによる前記ネットワークサービスとの連携以外の機能を実行する所定の操作に連動して前記ネットワーク回線網を介して前記管理サーバにログインし、
前記管理サーバは、前記ナビゲーション装置のログイン時に、ネットワークユーザによって前記ネットワークサービスに投稿され前記管理サーバに蓄積された投稿情報の全部又は一部を前記ネットワーク回線網を介して前記ナビゲーション装置に送信する、位置情報提供システム。」
という態様（態様１６）を採り得る。
【図１】
0005943222.tif 000002
【図２】
0005943222.tif 000003
【図３】
0005943222.tif 000004
【図４】
0005943222.tif 000005
【図５】
0005943222.tif 000006
【図６】
0005943222.tif 000007
【図７】
0005943222.tif 000008